【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
中心開口を画定する実質的に剛性の周縁フレームと、
前記周縁フレームに結合され、前記中心開口の少なくとも一部に及ぶ実質的に可撓性の背もたれシェルとを備える椅子背もたれアセンブリであって、
前記背もたれシェルの第１の部分が、第１の位置で前記フレームに対して固定され、前記背もたれシェルの第２の部分が、横方向，垂直方向，前方向及び後方向への移動に関し、前記第１の位置とは異なる第２の位置で前記フレームに対して固定され、前記背もたれシェルの第３の部分が、前記第１の位置と前記第２の位置との間に位置された第３の位置で、少なくとも１つの運動方向で前記フレームに対して制約され、前記背もたれシェルの第４の部分が、前記第３の位置と前記第２の位置との間に位置された第４の位置で、前記フレームに対する制約を受けない
椅子背もたれアセンブリ。
【請求項２】
前記背もたれシェルの前記第１の部分が、前記背もたれシェルの上縁部に実質的に近接して位置される請求項１に記載の椅子背もたれアセンブリ。
【請求項３】
前記背もたれシェルの前記第２の部分が、前記背もたれシェルの下縁部に実質的に近接して位置される請求項１または２に記載の椅子背もたれアセンブリ。
【請求項４】
前記背もたれシェルの前記第４の位置が、着座した使用者の腰部領域を支持するように適合される請求項１から３のいずれか一項に記載の椅子背もたれアセンブリ。
【請求項５】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記フレームの幅にわたって延在する横方向軸の周りで前記スロット内で枢動可能である請求項１から４のいずれか一項に記載の椅子背もたれアセンブリ。
【請求項６】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項５に記載の椅子背もたれアセンブリ。
【請求項７】
中心開口を画定する実質的に剛性の周縁フレームと、
前記周縁フレームに結合され、前記中心開口の少なくとも一部に及ぶ実質的に可撓性の背もたれシェルとを備え、
前記背もたれシェルの第１の部分が、横方向，垂直方向，前方向及び後方向への移動に関し、第１の位置で前記フレームに対して固定され、
前記背もたれシェルの第２の部分が、前記第１の位置とは異なる第２の位置で前記フレームに対して固定され、
前記背もたれシェルの第３の部分が、前記第１の位置と前記第２の位置との間に位置された第３の位置で、少なくとも１つの運動方向で前記フレームに対して制約され、
前記背もたれシェルの第４の部分が、前記第３の位置と前記第２の位置との間に位置された第４の位置で、横方向，前方向及び後方向に前記フレームに対する制約を受けず、
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である椅子アセンブリ。
【請求項８】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項５から７のいずれか一項に記載の椅子背もたれアセンブリ。
【請求項９】
前記フック部材が、前記背もたれシェルと一体である請求項５から８のいずれか一項に記載の椅子背もたれアセンブリ。
【請求項１０】
前記第３の位置での前記少なくとも１つの運動方向が、前記フレームに対する前方向を含む請求項１から９のいずれか一項に記載の椅子背もたれアセンブリ。
【請求項１１】
床面に接触するように適合された支持アセンブリと、
前記支持アセンブリに動作可能に結合され、着座した使用者を前記支持アセンブリ上で支持するように適合された座部アセンブリと、
椅子背もたれアセンブリとを備える椅子アセンブリであって、前記椅子背もたれアセンブリが、
中心開口を画定する実質的に剛性の周縁フレームと、
前記周縁フレームに結合され、前記中心開口の少なくとも一部に及ぶ実質的に可撓性の背もたれシェルとを備え、前記背もたれシェルの第１の部分が、横方向，垂直方向，前方向及び後方向への移動に関し、第１の位置で前記フレームに対して固定され、前記背もたれシェルの第２の部分が、横方向，垂直方向，前方向及び後方向への移動に関し、前記第１の位置とは異なる第２の位置で前記フレームに対して固定され、前記背もたれシェルの第３の部分が、前記第１の位置と前記第２の位置との間に位置された第３の位置で、少なくとも１つの運動方向で前記フレームに対して制約され、前記背もたれシェルが、前記第３の位置と前記第２の位置との間に位置された第４の位置で、横方向，前方向及び後方向に前記フレームに対する制約を受けない
椅子アセンブリ。
【請求項１２】
前記背もたれシェルの前記第１の部分が、前記背もたれシェルの上縁部に実質的に近接して位置される請求項１１に記載の椅子アセンブリ。
【請求項１３】
前記背もたれシェルの前記第２の部分が、前記背もたれシェルの下縁部に実質的に近接して位置される請求項１１または１２に記載の椅子アセンブリ。
【請求項１４】
前記背もたれシェルの前記第４の位置が、着座した使用者の腰部領域を支持するように適合される請求項１５に記載の椅子アセンブリ。
【請求項１５】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である請求項１１から１４のいずれか一項に記載の椅子アセンブリ。
【請求項１６】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項１５に記載の椅子アセンブリ。
【請求項１７】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である請求項１５または１６に記載の椅子アセンブリ。
【請求項１８】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項１５から１７のいずれか一項に記載の椅子アセンブリ。
【請求項１９】
前記フック部材が、前記背もたれシェルと一体である請求項１５から１８のいずれか一項に記載の椅子アセンブリ。
【請求項２０】
前記第３の位置での前記少なくとも１つの運動方向が、前記フレームに対する前方向を含む請求項１１から１９のいずれか一項に記載の椅子アセンブリ。
【請求項２１】
前記背もたれシェルの前記第４の位置に当接し、着座した使用者の腰部領域を支持するように適合された腰部支持アセンブリ
をさらに備える請求項１１から２０のいずれか一項に記載の椅子アセンブリ。
【請求項２２】
床面に接触するように適合された支持アセンブリと、
前記支持アセンブリに動作可能に結合され、着座した使用者を前記支持アセンブリ上で支持するように適合された座部アセンブリと、
椅子背もたれアセンブリとを備える椅子アセンブリであって、前記椅子背もたれアセンブリが、
中心開口、および前記中心開口の少なくとも一部の周りに延在する凹部を画定する実質的に剛性の周縁フレームと、前記周縁フレームに結合され、前記中心開口の少なくとも一部に及ぶ実質的に可撓性の背もたれシェルとを備え、前記背もたれシェルの第１の部分が、横方向，垂直方向，前方向及び後方向への移動に関し、第１の位置で前記フレームに対して固定され、前記背もたれシェルの第２の部分が、横方向，垂直方向，前方向及び後方向への移動に関し、前記第１の位置とは異なる第２の位置で前記フレームに対して固定され、前記背もたれシェルが、前記第１の位置と前記第２の位置との間に位置された第３の位置で、横方向，前方向及び後方向に前記フレームに対する制約を受けず、前記背もたれシェルが、前記フレームの前記凹部内に位置決めされる
椅子アセンブリ。
【請求項２３】
前記背もたれシェルが、前記第１の位置と前記第２の位置との間に位置された第４の位置で少なくとも１つの運動方向で前記フレームに対して制約される請求項２２に記載の椅子アセンブリ。
【請求項２４】
前記背もたれシェルの前記第１の部分が、前記背もたれシェルの上部に近接して位置され、前記背もたれシェルの前記第２の部分が、前記背もたれシェルの底部に近接して位置される請求項２２または２３に記載の椅子アセンブリ。
【請求項２５】
前記凹部が、前記中心開口の全周にわたって延びる請求項２２から２４のいずれか一項に記載の椅子アセンブリ。
【請求項２６】
椅子背もたれアセンブリが直立位置とリクライニング位置との間で移動可能であり、前記背もたれアセンブリが前記直立位置と前記リクライニング位置との間で移動されるときに、前記背もたれシェルの前記第３の位置が前記フレームに対して移動する請求項２２から２５のいずれか一項に記載の椅子アセンブリ。
【手続補正２】
【補正対象書類名】明細書
【補正対象項目名】００２２
【補正方法】変更
【補正の内容】
【００２２】
腰部アセンブリ１００（図１０、図１１Ａ、および図１６）は、横方向に延在する装飾プレート２０２と、１対の横方向に延在する板ばね２０３と、１対の摺動接続アセンブリ２０４と、１対の調節ハンドル２０５とを収容するボディシェル２００を含み、ハンドル２０５は、下降位置Ｅ（図２）と上昇位置Ｆとの間で腰部アセンブリ１００を移動させるために使用者が把持できるように構成される。成形されたボディシェル２００は、前部２０６と後部２０８を含み、それらは弓形であり、互いに背中合わせに振動可能に溶接されてポケット２１０（図１７）を形成し、ポケット２１０は、装飾プレート２０２を中に受け取る。代替として、ねじなどの機械的な固定具、留め金、超音波溶接、接着剤を含めた、前部２０６と後部２０８を結合する他の方法を利用することもできる。板ばね２０３は、ボディシェル２００の長さに沿って延在し、それぞれのポケット２１２内に位置され、ポケット２１２は、ポケット２１０にわたって互いに並置される。板ばね２０３は、着座した使用者の背中側の腰部領域によって及ぼされる後方への力に対する前方偏倚力を提供するように適合される。摺動接続アセンブリ２０４が、腰部アセンブリ１００の端部に取り付けられ、周縁フレーム９０のそれぞれの側部９６と側部延在部材１０４との間に形成された細長いレリーフ２１８（図１８Ａ）内に摺動可能に受け取られ、それにより、腰部アセンブリ１００は、下降位置Ｅと上昇位置Ｆとの間で垂直方向に移動可能である。特に、ボディシェル２００は、１対の垂直方向に延在するリブ２１９を含み、リブ２１９は、フレーム９０に対して腰部アセンブリ１００の中心を合わせるように、それぞれの側部延在部材１０４に沿って案内される。周縁フレーム９０の相対幅は、垂直方向で調節されるときに腰部アセンブリ１００が進む経路に沿って変化し、それにより、摺動接続アセンブリ２０４とボディシェル２００との摺動接続を必要とすることに留意されたい。図１８Ｂに最も良く示されるように、ボディシェル２００の前部２０６の各端部は、１対の対応するスロット２２２内に摺動可能に受け取られる１対の樽形頭部のタブ２２０を含み、スロット２２２は、接続アセンブリ２０４とボディシェル２００との摺動調節を可能にすると共に、ボディシェル２００が接続アセンブリ２０４から外れるのを防止する。組立て時、図１２Ａおよび図１８Ｃに最も良く示されるように、各ハンドル２０５は、羽根部分２０７を含み、羽根部分２０７は、接続アセンブリ２０４の対応するポケット２０９内に摺動可能に受け取られ、羽根部分２０７のアパーチャ２１３に係合する可撓弾性タブ２１１によってポケット２０９内に保持され、それにより腰部アセンブリ１００をスロット１０２内に摺動可能に固定する。各接続アセンブリ２０４は、歯止め部材２１９を有する可撓弾性バー２１７をさらに含み、歯止め部材２１９は、フレーム９０の側部１０２に沿って垂直方向に離隔配置された複数の移動止め２２１（図１０）に選択的に係合し、それにより、選択された垂直位置でフレーム９０に対して腰部アセンブリ１００を保持する。